(57)【要約】【課題】音響的特性を保ちつつ、防塵・防滴フィルタ１１を通過した異物が音響装置の振動板１６にまで達しないようにした音響装置の取付構造並びに通信端末を得る。【解決手段】通信端末は、音声信号を送受信する無線部２と、送話音声を入力するマイク３、受話音声を発生するレシーバ４、又は報知音を鳴動するスピーカ５の何れかの音響装置と、音孔８を有し該音孔８と向かい合うように上記音響装置を内部に取り付けたケース１と、このケース１の音孔８を覆うように取り付けたフィルタ１１と、このフィルタ１１と上記音響装置との間に設けられ、少なくとも粘着材、吸湿材、又は磁石の何れかで構成した異物吸着部２０とを備えるようにした。【選択図】          図２
2004304420.tif 000002
【特許請求の範囲】
【請求項１】
音響装置、音孔を有し該音孔と向かい合うように上記音響装置を内部に取り付けたケース、このケースの音孔を覆うように取り付けたフィルタ、及びこのフィルタと上記音響装置との間に設けられ、少なくとも粘着材、吸湿材、又は磁石の何れかで構成した異物吸着部を備えたことを特徴とする音響装置の取付構造。
【請求項２】
異物吸着部は、音響装置とケースとの間に取り付けたクッションであることを特徴とする請求項１記載の音響装置の取付構造。
【請求項３】
音響装置、音孔を有し該音孔と向かい合うように上記音響装置を内部に取り付けたケース、このケースの音孔を覆うように取り付けたフィルタ、上記音響装置と上記ケースとの間に取り付けたクッション、及び上記フィルタと上記音響装置との間に設けられ、異物を吸着する異物吸着部を備えたことを特徴とする音響装置の取付構造。
【請求項４】
異物吸着部を、少なくとも粘着材、吸湿材、又は磁石の何れかで構成したことを特徴とする請求項３記載の音響装置の取付構造。
【請求項５】
音声信号を送受信する無線部と、送話音声を入力するマイク、受話音声を発生するレシーバ、又は報知音を鳴動するスピーカの何れかの音響装置と、音孔を有し該音孔と向かい合うように上記音響装置を内部に取り付けたケースと、このケースの音孔を覆うように取り付けたフィルタと、このフィルタと上記音響装置との間に設けられ、少なくとも粘着材、吸湿材、又は磁石の何れかで構成した異物吸着部とを備えたことを特徴とする通信端末。
【発明の詳細な説明】
【０００１】
【発明の属する技術分野】
この発明は、異物が音響装置に到達するのを防止する音響装置の取付構造並びに該取付構造を有する通信端末に関する。
【０００２】
【従来の技術】
図６は通信端末としての携帯電話機の正面斜視図、図７は背面斜視図である。図６及び図７において、携帯電話機のケース１内部には、音声信号を送受信する無線部２（図示せず）、無線部２を介して通話相手に送信する送話音声を入力するマイク３、無線部２から受信した通話相手の受話音声を再生するレシーバ４、着信を受けたときの着信音等を再生するスピーカ５、ダイヤル等を入力するキー６、ユーザがキー６から入力した内容等を表示する表示装置７が備えられている。
【０００３】
そして、図８は、図６及び図７に示すマイク３、レシーバ４、又はスピーカ５等の一般的な音響装置のケース１への取付構造の断面図であり、ここではスピーカ５の取付構造について説明する。ケース１において、スピーカ５の取付位置は予め決められており、そこにはスピーカ５が再生する音声を効率よくケース１外部に放出させる放音孔８及びスピーカ５を支持する固定リブ９が設けられている。スピーカ５とケース１との間には緩衝部材からなるクッション１０が設けられ、クッション１０とケース１の間には防塵・防滴フィルタ１１が放音孔８を覆うように設けられている。このように構成することで、防塵・防滴フィルタ１１は、塵や水滴等が放音孔８からケース１内部へ侵入することを防いでいる。
【０００４】
また、別の従来技術として、通信機器の本体ケース内部にマイクロホンが装着され、本体ケースにマイク孔を貫通形成したものにおいて、本体ケースの外面にマイク孔を外側から覆う通音性のカバーシートを着脱可能に設けたことで、外部からマイク孔に塵や水滴が侵入して溜まるのを防げ、マイクロホンに対して防塵、防滴を可能にしたものがある（例えば、特許文献１参照）。
【０００５】
【特許文献１】
特開平９−１３０２８６号公報（第０００９段〜第００１１段、第１図）
【０００６】
ここで、防塵・防滴フィルタ１１のメッシュ開口寸法より小さな異物が防塵・防滴フィルタ１１を通過してケース１内部に侵入した場合について説明する。
まず、スピーカ５の内部構成及び動作原理を図９により説明する。
図９はスピーカ５の外観図及び断面図であり、（ａ）は正面図、（ｂ）は背面図、（ｃ）は側面図、そして（ｄ）はスピーカ５を（ａ）のＡ−Ｂで切断した断面図である。
図において、スピーカ５外形を形成しているフレーム１２の内側に、磁性材料からなり底を有した円筒状のヨーク１３が固定され、さらにヨーク１３内側に磁石１４が固着している。ヨーク１３は磁石１４の磁界を誘導し、磁石１４とヨーク１３とで環状磁気ギャップを備えた磁気回路を構成している。筒形のボイスコイル１５は、フレーム１２内部に取り付けられている振動板１６に固定され、磁気回路に形成されている環状磁気ギャップ内に配設されている。また、ボイスコイル１５は、プリント基板等と接触して他の回路と電気的に接続される端子１８と結線されている。スピーカ５前面には振動板１６を保護するためのプロテクタ１７が取り付けられている。そして、端子１８を介して、ボイスコイル１５に交流電気信号が供給されると、ボイスコイル１５が磁気回路による磁界の影響を受けて、振動板１６と共に軸方向に振幅を行う。このとき、振動板１６において空気密度に変化が起こり、音波が出力されてプロテクタ１７に形成されている放音孔１９からスピーカ５外部に放出される。
【０００７】
スピーカ５はこのように構成されているため、図８において異物が防塵・防滴フィルタ１１及び放音孔１９を通過して振動板１６まで達してしまうと、スピーカ５再生時に振動板１６が異常振動を起こして異音を発したり、振動板１６に過大な負荷がかかりボイスコイル１５が断線し、音が出なくなったりしてしまうことがある。
また、防塵・防滴フィルタ１１のメッシュ開口寸法を小さくすることで対策しようとすると、振動板１６の振幅の妨げとなり十分な音圧を得ることができずに音響的特性が劣ってしまう。
【０００８】
【発明が解決しようとする課題】
【０００９】
従来の音響装置の取付構造においては、防塵・防滴フィルタ１１によって、ある程度の大きさの塵や水滴等がケース１内部に侵入するのを防ぐことはできるが、防塵・防滴フィルタ１１のメッシュ開口寸法より小さな異物が防塵・防滴フィルタ１１を通過してケース１内部に侵入することを想定した防塵・防滴対策は施されておらず、音響特性が劣化したり、音響装置自体が故障してしまう等の問題点があった。
【００１０】
この発明は上記のような問題点を解消するためになされたもので、音響的特性を保ちつつ、防塵・防滴フィルタ１１を通過した異物が音響装置の振動板１６にまで達しないようにした音響装置の取付構造並びに通信端末を得ることを目的とするものである。
【００１１】
【課題を解決するための手段】
この発明の請求項１に係る音響装置の取付構造は、音響装置、音孔を有し該音孔と向かい合うように上記音響装置を内部に取り付けたケース、このケースの音孔を覆うように取り付けたフィルタ、及びこのフィルタと上記音響装置との間に設けられ、少なくとも粘着材、吸湿材、又は磁石の何れかで構成した異物吸着部を備えたものである。
【００１２】
この発明の請求項３に係る音響装置の取付構造は、音響装置、音孔を有し該音孔と向かい合うように上記音響装置を内部に取り付けたケース、このケースの音孔を覆うように取り付けたフィルタ、上記音響装置と上記ケースとの間に取り付けたクッション、及び上記フィルタと上記音響装置との間に設けられ、異物を吸着する異物吸着部を備えたものである。
【００１３】
この発明の請求項５に係る通信端末は、音声信号を送受信する無線部と、送話音声を入力するマイク、受話音声を発生するレシーバ、又は報知音を鳴動するスピーカの何れかの音響装置と、音孔を有し該音孔と向かい合うように上記音響装置を内部に取り付けたケースと、このケースの音孔を覆うように取り付けたフィルタと、このフィルタと上記音響装置との間に設けられ、少なくとも粘着材、吸湿材、又は磁石の何れかで構成した異物吸着部とを備えたものである。
【００１４】
【発明の実施の形態】
実施の形態１．
図１は、この発明の実施の形態１〜３に係るスピーカ５の取付構造の分解模式図であり、図７のケース１を内側から見た図である。防塵・防滴フィルタ１１とクッション１０の間に異物吸着材２０が設けられている。
【００１５】
図２は、この発明の実施の形態１〜３に係るスピーカ５の取付構造を示す断面図である。図において、ケース１に設けられた固定リブ９は、スピーカ５をクッション１０及び防塵・防滴フィルタ１１とともに固定リブ９の爪に引っかけて支持している。
スピーカ５は、該スピーカ５の放音孔１９とケース１の放音孔８とが対面する向きに設置され、スピーカ５から発生する音波を効率良くケース１から外部に放出するようにしている。防塵・防滴フィルタ１１は、ナイロンやポリエステル等の目の細かい（２５〜４０μｍ程度）メッシュシートで構成されており、ケース１の放音孔８を覆うように設けて、外部からの塵、液体又は砂鉄など異物の侵入を防いでいる。リング状のクッション１０は、衝撃吸収性が高く密閉性も高いポロンシート等で構成されており、スピーカ５とケース１との間にできる前気室２１を確保している。この前気室２１は、スピーカ５の放音孔１９から出た音波をケース１の放音孔８に効率良く伝える役割をしている。また、クッション１０がスピーカ５とケース１の隙間を埋めることで、スピーカ５の放音孔１９から発生した音波がケース１の放音孔８から放出されずにスピーカ５とケース１の隙間からケース１内部へ音漏れしてしまうことを防止している。
【００１６】
異物吸着材２０は、粘着材料で構成されており、ケース１の放音孔８を塞ぐのを避けて、前気室２１内部の防塵・防滴フィルタ１１の上に接着剤２２で貼り付けられている。
【００１７】
スピーカ５をこのようにケース１に取り付けることにより、防塵・防滴フィルタ１１のメッシュ開口寸法よりも小さな塵などの異物が、ケース１の放音孔８を経て防塵・防滴フィルタ１１を通過したとしても、前気室２１内に設けられた異物吸着材２０がそれら異物を吸着するので、スピーカ５の振動板１６にまで異物が到達するのを大幅に防ぐことができる。しかも、防塵・防滴フィルタ１１のメッシュ開口寸法を小さくする必要がないので、スピーカ５から発生した音波が効率よくケース１外部に放出されて、音響的特性を保つことができる。
【００１８】
また、異物吸着材２０は、図３のようにスピーカ５前面のプロテクタ１７に貼り付けてもよく、前気室２１内部で、かつスピーカ５の放音孔１９を塞がなければ、どの位置に配置してもよい。また、形状もリング状でなくてもよく、放音孔８及び放音孔１９を塞がなければ、どのような形状でもよい。
【００１９】
なお、この実施の形態１ではスピーカ５について説明したが、レシーバ４やマイク３等の他の音響装置にも同様に適用できる。
【００２０】
実施の形態２．
実施の形態２では、異物吸着材２０を実施の形態１の粘着材料に代えて、水分を吸収し易いスポンジや布等の吸湿材料を使用する。
この場合、液体状の異物や蒸気等が防塵・防滴フィルタ１１を通過したとしても、前気室２１内に設けられた異物吸着材２０がそれら異物を吸収し、スピーカ５の振動板１６にまで異物が到達するのを大幅に防ぐことができる。
【００２１】
実施の形態３．
実施の形態３では、異物吸着材２０を実施の形態１の粘着材料、又は実施の形態２の吸湿材料に代えて、磁石を使用する。
この場合、防塵・防滴フィルタ１１のメッシュ開口寸法よりも小さな砂鉄など強磁性体の異物が防塵・防滴フィルタ１１を通過したとしても、前気室２１内に設けられた異物吸着材２０がそれら異物を吸着し、スピーカ５の振動板１６にまで異物が到達するのを大幅に防ぐことができる。特に、スピーカ５とレシーバ４は内部に磁石１４を備えており強磁性体異物を引き寄せやすい性質を持っているので、異物吸着材２０として磁石を使用したときの強磁性体異物の侵入防止に対する効果は大きい。
【００２２】
実施の形態４．
図４は、この発明の実施の形態４に係るスピーカ５の取付構造を示す断面図である。図において、実施の形態１〜３で異物吸着材２０として使用した粘着材２３、吸湿材２４、及び磁石２５を複数箇所に配置している。
【００２３】
このように構成することで、防塵・防滴フィルタ１１のメッシュ開口寸法よりも小さな異物が防塵・防滴フィルタ１１を通過したとしても、前気室２１内に設けられた異物吸着材２０である粘着材２３、吸湿材２４、及び磁石２５がそれら異物を吸着し、スピーカ５の振動板１６にまで異物が到達することを大幅に防ぐことができる。
【００２４】
ここで、粘着材２３、吸湿材２４、及び磁石２５は任意にそれぞれの配置を交換してもよく、図５のように、粘着材２３、吸湿材２４、及び磁石２５をそれぞれ積層に配置してもよい。
【００２５】
実施の形態５．
実施の形態５は、図８のクッション１０を異物吸着材２０で構成した場合である。つまり、クッション１０を粘着材料、吸湿材料、又はゴム状磁石等の素材を使用した異物吸着クッション１０ａとしたものである。
【００２６】
このように構成したことにより、実施の形態１〜３と同様に、異物が防塵・防滴フィルタ１１を通過したとしても、ケース１とスピーカ５に挟まれた異物吸着クッション１０ａが異物を吸着し、スピーカ５の振動板１６に異物が到達することを大幅に防ぐことができる。
【００２７】
【発明の効果】
この発明に係る音響装置の取付構造並びに通信端末は、ケースの音孔と向かい合うようにケース内部に取り付けた音響装置と、ケースの音孔を覆うように取り付けたフィルタとの間に、異物を吸着する異物吸着部を設けたので、音響的特性を保ちつつ、音響装置の振動板に異物が到達することを大幅に防ぎ、音響装置の異音発生や故障を低減することができる効果がある。
【図面の簡単な説明】
【図１】この発明の実施の形態１〜３に係るスピーカ５の取付構造の分解模式図である。
【図２】この発明の実施の形態１〜３に係るスピーカ５の取付構造を示す断面図である。
【図３】この発明の実施の形態１〜３に係るスピーカ５の取付構造を示す断面図である。
【図４】この発明の実施の形態４に係るスピーカ５の取付構造を示す断面図である。
【図５】この発明の実施の形態４に係る別のスピーカ５の取付構造を示す断面図である。
【図６】従来及びこの発明に係る携帯電話機の正面斜視図である。
【図７】従来及びこの発明に係る携帯電話機の背面斜視図である。
【図８】従来及びこの発明の実施の形態５に係る音響装置の取付構造の断面図である。
【図９】従来及びこの発明に係るスピーカ５の外観図及び断面図である。
【符号の説明】
１  ケース
２  無線部
３  マイク
４  レシーバ
５  スピーカ
８  放音孔
１０  クッション
１１  防塵・防滴フィルタ
２０  異物吸着材
２３  粘着材
２４  吸湿材
２５  磁石
【図１】
2004304420.tif 000003
【図２】
2004304420.tif 000004
【図３】
2004304420.tif 000005
【図４】
2004304420.tif 000006
【図５】
2004304420.tif 000007
【図６】
2004304420.tif 000008
【図７】
2004304420.tif 000009
【図８】
2004304420.tif 000010
【図９】
2004304420.tif 000011